(57)【要約】【課題】ＲＯＭ型光ディスクと非ＲＯＭ型光ディスクの判別が可能であってその判別精度が高い光ディスク装置を提供する。【解決手段】プッシュプル方式により生成されるトラッキングエラー信号の振幅をトラッキング和信号で除した値（ＴＥDPP・PP／ＴＳ）が第１の判別閾値ＶＴＨ１以上であって、且つ、位相差方式により生成されるトラッキングエラー信号の振幅ＴＥDPD・PPが第２の判別閾値ＶＴＨ２以下でない場合に、装着されている光ディスクをＲＯＭ型光ディスクと判別する光ディスク装置。【選択図】図３
2011129205.tif 000002
【特許請求の範囲】
【請求項１】
トラッキングエラー信号をプッシュプル方式及び位相差方式のそれぞれで生成するトラッキングエラー信号生成部と、
トラッキング和信号を生成するトラッキング和信号生成部と、
判別部と、
第１の判別閾値及び第２の判別閾値を予め記憶する記憶部とを備える光ディスク装置であって、
前記判別部が、プッシュプル方式により生成される前記トラッキングエラー信号の振幅を前記トラッキング和信号で除した値が前記第１の判別閾値以上であって、且つ、位相差方式により生成される前記トラッキングエラー信号の振幅が前記第２の判別閾値以下でない場合に、前記光ディスク装置に装着されている光ディスクをＲＯＭ型光ディスクと判別することを特徴とする光ディスク装置。
【請求項２】
前記判別部が、
プッシュプル方式により生成される前記トラッキングエラー信号の振幅を前記トラッキング和信号で除した値が前記第１の判別閾値以上でない場合に、前記光ディスク装置に装着されている光ディスクをＲＯＭ型光ディスクと判別し、
プッシュプル方式により生成される前記トラッキングエラー信号の振幅を前記トラッキング和信号で除した値が前記第１の判別閾値以上であって、且つ、位相差方式により生成される前記トラッキングエラー信号の振幅が前記第２の判別閾値以下である場合に、前記光ディスク装置に装着されている光ディスクを非ＲＯＭ型光ディスクと判別することを特徴とする請求項１に記載の光ディスク装置。
【請求項３】
トラッキングエラー信号をプッシュプル方式及び位相差方式のそれぞれで生成するトラッキングエラー信号生成部と、
トラッキング和信号を生成するトラッキング和信号生成部と、
判別部と、
第１の判別閾値、第２の判別閾値、及び前記第１の判別閾値より大きい第３の閾値を予め記憶する記憶部とを備える光ディスク装置であって、
前記判別部が、プッシュプル方式により生成される前記トラッキングエラー信号の振幅を前記トラッキング和信号で除した値が前記第１の判別閾値以上前記第３の判別閾値以下であって、且つ、位相差方式により生成される前記トラッキングエラー信号の振幅が前記第２の判別閾値以下でない場合に、前記光ディスク装置に装着されている光ディスクをＲＯＭ型光ディスクと判別することを特徴とする光ディスク装置。
【請求項４】
前記判別部が、
プッシュプル方式により生成される前記トラッキングエラー信号の振幅を前記トラッキング和信号で除した値が前記第１の判別閾値以上でない場合に、前記光ディスク装置に装着されている光ディスクをＲＯＭ型光ディスクと判別し、
プッシュプル方式により生成される前記トラッキングエラー信号の振幅を前記トラッキング和信号で除した値が前記第３の判別閾値以下でない場合に、前記光ディスク装置に装着されている光ディスクを非ＲＯＭ型光ディスクと判別し、
プッシュプル方式により生成される前記トラッキングエラー信号の振幅を前記トラッキング和信号で除した値が前記第１の判別閾値以上前記第３の判別閾値以下であって、且つ、位相差方式により生成される前記トラッキングエラー信号の振幅が前記第２の判別閾値以下である場合に、前記光ディスク装置に装着されている光ディスクを非ＲＯＭ型光ディスクと判別することを特徴とする請求項３に記載の光ディスク装置。
【請求項５】
前記光ディスクがＤＶＤである請求項１〜４のいずれか１項に記載の光ディスク装置。
【発明の詳細な説明】
【技術分野】
【０００１】
本発明は、ＲＯＭ型光ディスクと非ＲＯＭ型光ディスクの判別が可能な光ディスク装置に関する。
【背景技術】
【０００２】
ＤＶＤには複数の種類が存在するが、ＲＯＭ型ＤＶＤと非ＲＯＭ型ＤＶＤに大別される。この２種類を判別して、レーザ発光制御に関するパラメータ及びサーボ制御に関するパラメータを設定すれば、それぞれのＤＶＤに対して正常に情報の記録或いは再生を行うことが可能となる。
【０００３】
なお、ＲＯＭ型ＤＶＤには、再生専用型単層ＤＶＤ（以下「ＤＶＤ−ＲＯＭ ＳＬ」と称す）と、再生専用型２層ＤＶＤ（以下「ＤＶＤ−ＲＯＭ ＤＬ」と称す）とが存在し、非ＲＯＭ型ＤＶＤには、追記型単層ＤＶＤ（以下「ＤＶＤ−Ｒ ＳＬ」と称す）と、追記型２層ＤＶＤ（以下「ＤＶＤ−Ｒ ＤＬ」と称す）と、書き換え型ＤＶＤ（以下「ＤＶＤ−ＲＷ」と称す）とが存在する。
【０００４】
ＲＯＭ型ＤＶＤと非ＲＯＭ型ＤＶＤとを判別する方法として、プッシュプル方式（以下「ＤＰＰ」とも称す）によりトラッキングエラー信号を生成し、（ＤＰＰにより生成されたトラッキングエラー信号の振幅ＴＥDPP・PP）／（トラッキング和信号ＴＳ）を算出し、ＴＥDPP・PP／ＴＳが判別閾値以上であれば非ＲＯＭ型ＤＶＤと判別し、ＴＥDPP・PP／ＴＳが判別閾値以上でなければＲＯＭ型ＤＶＤと判別する方法が提案されている（例えば特許文献１参照）。
【先行技術文献】
【特許文献】
【０００５】
【特許文献１】特開２００９−６４４８６号公報（要約）
【特許文献２】特開２００８−１５９２１４号公報（要約）
【特許文献３】特開２００７−２７２９５９号公報（要約、請求項１）
【特許文献４】再公表特許ＷＯ２００６／０８８１５７号公報（段落００８５、段落００９０、段落００９１）
【発明の概要】
【発明が解決しようとする課題】
【０００６】
しかしながら、ＴＥDPP・PP／ＴＳのみによる判定では特定のＤＶＤ−ＲＯＭが非ＲＯＭ型ＤＶＤと誤判別されてしまうことがある（図４参照）。このような問題に対してリトライ処理を導入することで、非ＲＯＭ型ＤＶＤと誤判別された特定のＤＶＤ−ＲＯＭを正しく判別し直すことが可能となるが、処理時間が長くなってしまうという新たな問題が生じてしまう。
【０００７】
なお、特許文献１では、フォーカスバランス値を段階的に変更しながら、ＴＥDPP・PP／ＴＳを算出し、ＴＥDPP・PP／ＴＳが最大となる値と判別閾値とを比較することで誤判別を防止する技術が開示されているが、これは非ＲＯＭ型ＤＶＤがＲＯＭ型ＤＶＤと誤判別されることを防止する技術であって、特定のＤＶＤ−ＲＯＭが非ＲＯＭ型ＤＶＤと誤判別されてしまうことを防止する技術ではない。
【０００８】
また、特許文献２では、ＤＶＤとＨＤ−ＤＶＤの判別を迅速に行う光ディスク装置及びディスク判別方法が開示されているが、ＲＯＭ型光ディスクと非ＲＯＭ型光ディスクの判別する技術についての開示や示唆は一切ない。
【０００９】
また、特許文献３では、情報の記録或いは再生が行われる際に用いられるレーザ光が互いに異なる２種類の光ディスク（例えばＤＶＤとＨＤ−ＤＶＤ）の判別を短時間で行う光ディスク装置及びディスク判別方法が開示されているが、ＲＯＭ型光ディスクと非ＲＯＭ型光ディスクの判別する技術についての開示や示唆は一切ない。
【００１０】
また、特許文献４では、ＤＰＰにより生成されたトラッキングエラー信号の変調度によるＲＯＭ型ＢＤと非ＲＯＭ型ＢＤの判別や位相差方式（以下「ＤＰＤ」とも称す）により生成されたトラッキングエラー信号の振幅によるＲＯＭ型ＢＤと非ＲＯＭ型ＢＤの判別が開示されているが、ＴＥDPP・PP／ＴＳによる判定で誤判別された特定のＲＯＭ型光ディスクを救済する技術についての開示や示唆は一切ない。
【００１１】
本発明は、上記の状況に鑑み、ＲＯＭ型光ディスクと非ＲＯＭ型光ディスクの判別が可能であってその判別精度が高い光ディスク装置を提供することを目的とする。
【課題を解決するための手段】
【００１２】
上記目的を達成するために本発明に係る光ディスク装置においては、トラッキングエラー信号をプッシュプル方式及び位相差方式のそれぞれで生成するトラッキングエラー信号生成部と、トラッキング和信号を生成するトラッキング和信号生成部と、判別部と、第１の判別閾値及び第２の判別閾値を予め記憶する記憶部とを備え、前記判別部が、プッシュプル方式により生成される前記トラッキングエラー信号の振幅を前記トラッキング和信号で除した値が前記第１の判別閾値以上であって、且つ、位相差方式により生成される前記トラッキングエラー信号の振幅が前記第２の判別閾値以下でない場合に、前記光ディスク装置に装着されている光ディスク（例えばＤＶＤ）をＲＯＭ型光ディスクと判別する構成とする。
【００１３】
さらに、上記構成において、前記判別部が、プッシュプル方式により生成される前記トラッキングエラー信号の振幅を前記トラッキング和信号で除した値が前記第１の判別閾値以上でない場合に、前記光ディスク装置に装着されている光ディスクをＲＯＭ型光ディスクと判別し、プッシュプル方式により生成される前記トラッキングエラー信号の振幅を前記トラッキング和信号で除した値が前記第１の判別閾値以上であって、且つ、位相差方式により生成される前記トラッキングエラー信号の振幅が前記第２の判別閾値以下である場合に、前記光ディスク装置に装着されている光ディスクを非ＲＯＭ型光ディスクと判別することが望ましい。
【００１４】
また、上記目的を達成するために本発明に係る光ディスク装置においては、トラッキングエラー信号をプッシュプル方式及び位相差方式のそれぞれで生成するトラッキングエラー信号生成部と、トラッキング和信号を生成するトラッキング和信号生成部と、判別部と、第１の判別閾値、第２の判別閾値、及び前記第１の判別閾値より大きい第３の閾値を予め記憶する記憶部とを備え、前記判別部が、プッシュプル方式により生成される前記トラッキングエラー信号の振幅を前記トラッキング和信号で除した値が前記第１の判別閾値以上前記第３の判別閾値以下であって、且つ、位相差方式により生成される前記トラッキングエラー信号の振幅が前記第２の判別閾値以下でない場合に、前記光ディスク装置に装着されている光ディスク（例えばＤＶＤ）をＲＯＭ型光ディスクと判別する構成であってもよい。
【００１５】
さらに、上記構成において、前記判別部が、プッシュプル方式により生成される前記トラッキングエラー信号の振幅を前記トラッキング和信号で除した値が前記第１の判別閾値以上でない場合に、前記光ディスク装置に装着されている光ディスクをＲＯＭ型光ディスクと判別し、プッシュプル方式により生成される前記トラッキングエラー信号の振幅を前記トラッキング和信号で除した値が前記第３の判別閾値以下でない場合に、前記光ディスク装置に装着されている光ディスクを非ＲＯＭ型光ディスクと判別し、プッシュプル方式により生成される前記トラッキングエラー信号の振幅を前記トラッキング和信号で除した値が前記第１の判別閾値以上前記第３の判別閾値以下であって、且つ、位相差方式により生成される前記トラッキングエラー信号の振幅が前記第２の判別閾値以下である場合に、前記光ディスク装置に装着されている光ディスクを非ＲＯＭ型光ディスクと判別することが望ましい。
【発明の効果】
【００１６】
本発明によると、プッシュプル方式により生成されるトラッキングエラー信号の振幅をトラッキング和信号で除した値による判定で誤判別された特定のＲＯＭ型光ディスクを救済することができるので、ＲＯＭ型光ディスクと非ＲＯＭ型光ディスクの判別精度が高くなる。
【図面の簡単な説明】
【００１７】
【図１】本発明に係る光ディスク装置の概略構成例を示す図である。
【図２】トラッキングエラー信号生成部の構成例を示す図である。
【図３】本発明に係る光ディスク装置の第１実施形態の動作を示すフローチャートである。
【図４】各種ＤＶＤのＴＥDPP・PP／ＴＳの測定結果を示す図である。
【図５】第１実施形態においてＴＥDPD・PPによる判定が実行される各種ＤＶＤのＴＥDPD・PPの測定結果を示す図である。
【図６】本発明に係る光ディスク装置の第２実施形態の動作を示すフローチャートである。
【図７】各種ＤＶＤのＴＥDPP・PP／ＴＳの測定結果を示す図である。
【図８】第２実施形態においてＴＥDPD・PPによる判定が実行される各種ＤＶＤのＴＥDPD・PPの測定結果を示す図である。
【発明を実施するための形態】
【００１８】
本発明の実施形態について図面を参照して以下に説明する。本発明に係る光ディスク装置の概略構成例を図１に示す。図１に示す本発明に係る光ディスク装置は、光ディスク１を回転させるためのスピンドルモータ２と、光ディスク１に光ビームを照射する光ピックアップ３とを備えている。
【００１９】
光ピックアップ３は、レーザ光を出力するレーザダイオード３１と、レーザダイオード３１から出力されたレーザ光を透過して対物レンズ３３に到達させるビームスプリッタ３２と、ビームスプリッタ３２から透過したレーザ光を集光して光ディスク１に光スポットを結像するための対物レンズ３３と、光ディスク１で反射し対物レンズ３３を介してビームスプリッタ３２によって反射された光を分光するための回折格子３４と、回折格子３４で分光された光を検出するための光検出器３５とを有している。
【００２０】
また、図１に示す本発明に係る光ディスク装置は、光ピックアップ３内の光検出器３５の出力信号からトラッキングエラー信号を生成するトラッキングエラー信号生成部４と、トラッキングエラー信号生成部４から出力されたトラッキングエラー信号に基づいて光ビームスポットがトラックに追従するように光ビームスポットの位置を制御するトラッキング制御部５と、光ピックアップ３内の光検出器３５の出力信号からトラッキング和信号を生成するトラッキング和信号生成部６と、光ピックアップ３内の光検出器３５の出力信号からフォーカスエラー信号を生成するフォーカスエラー信号生成部７と、フォーカスエラー信号生成部７から出力されたフォーカスエラー信号に基づいてフォーカス外れを修正するフォーカス制御部８とを備えている。トラッキング制御部５の出力信号によって光ピックアップ３のディスク径方向の動きが制御され、フォーカス制御部８の出力信号によって、光ピックアップ３の上下方向の動きが制御される。
【００２１】
また、図１に示す本発明に係る光ディスク装置は、光ピックアップ３内の光検出器３５の出力信号からウォブル信号を検出するウォブル信号検出部９と、ウォブル信号検出部９によって検出されたウォブル信号を二値化する二値化部１０と、スピンドルモータ２の回転制御のための基準クロックを発生させる基準クロック発生部１１と、二値化部１０から出力される二値化ウォブル信号の周波数及び基準クロック発生部１１から出力される基準クロックに基づいてスピンドルモータ２を回転制御するモータ制御部１２とを備えている。
【００２２】
また、図１に示す本発明に係る光ディスク装置は、二値化部１０から出力される二値化ウォブル信号から記録時のビットクロックを生成するクロック生成部１３と、クロック生成部１３から出力されるビットクロックに基づいて映像データや音声データなどの記録データを所定のフォーマットに変換する記録処理部１４と、記録処理部１４から出力されるフォーマット変換信号に基づいて記録データを所定の記録波形に変換する記録部１５と、各制御に関するパラメータを記憶する記憶部１６と、各部を制御するＣＰＵ１７とを備えている。記録部１５から出力される記録波形信号に従って、光ピックアップ３が光ディスク１に映像データや音声データなどの記録データを記録する。
【００２３】
次に、トラッキングエラー信号生成部４の構成例を図２に示す。図２に示す構成例では、トラッキングエラー信号生成部４は、位相差検出回路４１及び４２と、加算器４３〜４５と、減算器４６及び４７と、ゲイン調整器４８と、減算器４９とによって構成されている。
【００２４】
光ピックアップ３の光検出器３５は、受光領域を分割した複数個のディテクタ３５１を有している。ここで、メインビームに対するディテクタの出力信号をＡ〜Ｄ、サブビームに対するディテクタの出力信号をＥ、Ｆとする。
【００２５】
ＤＰＤにより生成されるトラッキングエラー信号ＴＥDPDは、以下のような手順で生成される。位相差検出回路４１はピット列からの信号Ａと信号Ｂの位相差を検出し、位相差検出回路４２はピット列からの信号Ｃと信号Ｄの位相差を検出する。光スポットがピットの中心位置にあればこれらは同位相であるが、中心位置からずれると位相差が発生する。そして、加算器４３は各位相差検出回路で検出された位相差を加算して、ＤＰＤにより生成されるトラッキングエラー信号ＴＥDPDを得る。
【００２６】
また、ＤＰＰにより生成されるトラッキングエラー信号ＴＥDPPは、以下のような手順で生成される。メインビームに関して、加算器４４は案内溝からの信号Ａと信号Ｄを加算し（Ａ＋Ｄ）、加算器４５は案内溝からの信号Ｂと信号Ｃを加算する（Ｂ＋Ｃ）。減算器４６は加算器４４の出力から加算器４５の出力を減算し（（Ａ＋Ｄ）−（Ｂ＋Ｃ））、メインプッシュプル信号ＭＰＰを得る。また、サブビームに関して、減算器４７は信号Ｅから信号Ｆを減算し（Ｅ−Ｆ）、サブプッシュプル信号ＳＰＰを得る。ゲイン調整器４８はサブプッシュプル信号ＳＰＰをｋ倍して、メインプッシュプル信号ＭＰＰとほぼ同一振幅になるように調整する。ここで、メインプッシュプル信号ＭＰＰとサブプッシュプル信号ＳＰＰ信号は逆位相である。そして、減算器４９は、メインプッシュプル信号ＭＰＰからｋ倍されたサブプッシュプル信号ＳＰＰを減算して、ＤＰＰにより生成されるトラッキングエラー信号ＴＥDPPを得る。
【００２７】
次に、図１に示す本発明に係る光ディスク装置の第１実施形態の動作について図３のフローチャートを参照して説明する。
【００２８】
図１に示す本発明に係る光ディスク装置は、フォーカス制御をＯＮにし、トラッキング制御をＯＦＦにして、図３のフローチャートの判別処理を開始する。まず、ＣＰＵ１７は、ＤＰＰにより生成されるトラッキングエラー信号ＴＥDPPをトラッキングエラー信号生成部４から受け取り、トラッキング和信号ＴＳをトラッキング和信号生成部から受け取り、ＤＰＰにより生成されるトラッキングエラー信号ＴＥDPPからＤＰＰにより生成されたトラッキングエラー信号の振幅ＴＥDPP・PPを求めたのち、ＴＥDPP・PP／ＴＳを算出し、ＴＥDPP・PP／ＴＳが記憶部１６に予め記憶されている第１の判別閾値ＶＴＨ１（一例としてここでは「４６」を採用する。）以上であるか否かを判定する（ステップＳ１０）。
【００２９】
ＴＥDPP・PP／ＴＳがＶＴＨ１以上でなければ（ステップＳ１０のＮＯ）、ＲＯＭ型ＤＶＤと判別し（ステップＳ４０）、判別処理を終了する。一方、ＴＥDPP・PP／ＴＳがＶＴＨ１以上であれば（ステップＳ１０のＹＥＳ）、ステップＳ２０に移行する。
【００３０】
ここで、各種ＤＶＤのＴＥDPP・PP／ＴＳの測定結果を図４に示す。図４並びに後述する図５、図７、及び図８において、測定の内容は以下のようになっている。測定は３台の光ディスク装置を用い、各装置でそれぞれ１０回の測定を行った。それぞれのＤＶＤには９本の棒グラフが図示されているが、左から順に「１台目での１０回測定の最小値」、「１台目での１０回測定の平均値」、「１台目での１０回測定の最大値」、「２台目での１０回測定の最小値」、「２台目での１０回測定の平均値」、「２台目での１０回測定の最大値」、「３台目での１０回測定の最小値」、「３台目での１０回測定の平均値」、「３台目での１０回測定の最大値」である。
【００３１】
図４から明らかなように、図１に示す本発明に係る光ディスク装置に装着されている光ディスク１が、各ＤＶＤ−Ｒ、各ＤＶＤ−ＲＷ、或いは特定のＤＶＤ−ＲＯＭであれば、ＴＥDPP・PP／ＴＳがＶＴＨ１以上となり、ステップＳ２０に移行する。
【００３２】
ステップＳ２０において、ＣＰＵ１７は、ＤＰＤにより生成されるトラッキングエラー信号ＴＥDPDをトラッキングエラー信号生成部４から受け取り、ＤＰＤにより生成されるトラッキングエラー信号ＴＥDPDからＤＰＤにより生成されたトラッキングエラー信号の振幅ＴＥDPD・PPを求め、ＴＥDPD・PPが記憶部１６に予め記憶されている第２の判別閾値ＶＴＨ２（一例としてここでは「９０００」を採用する。）以下であるか否かを判定する。
【００３３】
ＴＥDPD・PPがＶＴＨ２以下でなければ（ステップＳ２０のＮＯ）、ＲＯＭ型ＤＶＤと判別し（ステップＳ４０）、判別処理を終了する。一方、ＴＥDPD・PPがＶＴＨ２以下であれば（ステップＳ２０のＹＥＳ）、非ＲＯＭ型ＤＶＤと判別し（ステップＳ３０）、判別処理を終了する。
【００３４】
ここで、第１実施形態においてステップＳ２０での判定が実行される各種ＤＶＤのＴＥDPD・PPの測定結果を図５に示す。
【００３５】
図５から明らかなように、図１に示す本発明に係る光ディスク装置に装着されている光ディスク１が特定のＤＶＤ−ＲＯＭであれば、ＴＥDPDがＶＴＨ２より大きくなり、ＲＯＭ型ＤＶＤと判定される。これにより、ＴＥDPP・PP／ＴＳによる判定で誤判別された特定のＲＯＭ型光ディスクを救済することができる（ＲＯＭ型ＤＶＤであると正しく判別することができる）ので、ＲＯＭ型光ディスクと非ＲＯＭ型光ディスクの判別精度が高くなる。
【００３６】
次に、図１に示す本発明に係る光ディスク装置の第２実施形態の動作について図６のフローチャートを参照して説明する。なお、図６において図３と同一のステップには同一の符号を付す。
【００３７】
図１に示す本発明に係る光ディスク装置は、フォーカス制御をＯＮにし、トラッキング制御をＯＦＦにして、図６のフローチャートの判別処理を開始する。まず、ＣＰＵ１７は、ＤＰＰにより生成されるトラッキングエラー信号ＴＥDPPをトラッキングエラー信号生成部４から受け取り、トラッキング和信号ＴＳをトラッキング和信号生成部から受け取り、ＤＰＰにより生成されるトラッキングエラー信号ＴＥDPPからＤＰＰにより生成されたトラッキングエラー信号の振幅ＴＥDPP・PPを求めたのち、ＴＥDPP・PP／ＴＳを算出し、ＴＥDPP・PP／ＴＳが記憶部１６に予め記憶されている第１の判別閾値ＶＴＨ１（一例としてここでは「４６」を採用する）以上であるか否かを判定する（ステップＳ１０）。
【００３８】
ＴＥDPP・PP／ＴＳがＶＴＨ１以上でなければ（ステップＳ１０のＮＯ）、ＲＯＭ型ＤＶＤと判別し（ステップＳ４０）、判別処理を終了する。一方、ＴＥDPP・PP／ＴＳがＶＴＨ１以上であれば（ステップＳ１０のＹＥＳ）、ステップＳ１５に移行する。
【００３９】
ステップＳ１５において、ＣＰＵ１７は、ＴＥDPP・PP／ＴＳが記憶部１６に予め記憶されている第３の判別閾値ＶＴＨ３（第１の判別閾値ＶＴＨ１よりも大きい値であり、一例としてここでは「７０」を採用する。）以下であるか否かを判定する。
【００４０】
ＴＥDPP・PP／ＴＳがＶＴＨ３以下でなければ（ステップＳ１５のＮＯ）、非ＲＯＭ型ＤＶＤと判別し（ステップＳ４０）、判別処理を終了する。一方、ＴＥDPP・PP／ＴＳがＶＴＨ３以下であれば（ステップＳ１５のＹＥＳ）、ステップＳ２０に移行する。
【００４１】
ここで、各種ＤＶＤのＴＥDPP・PP／ＴＳの測定結果を図７に示す。
【００４２】
図７から明らかなように、図１に示す本発明に係る光ディスク装置に装着されている光ディスク１が、各ＤＶＤ−ＲＷ或いは特定のＤＶＤ−ＲＯＭであれば、ＴＥDPP・PP／ＴＳがＶＴＨ１以上ＶＴＨ３以下となり、ステップＳ２０に移行する。
【００４３】
ステップＳ２０において、ＣＰＵ１７は、ＤＰＤにより生成されるトラッキングエラー信号ＴＥDPDをトラッキングエラー信号生成部４から受け取り、ＤＰＤにより生成されるトラッキングエラー信号ＴＥDPDからＤＰＤにより生成されたトラッキングエラー信号の振幅ＴＥDPD・PPを求め、ＴＥDPD・PPが記憶部１６に予め記憶されている第２の判別閾値ＶＴＨ２（一例としてここでは「９０００」を採用する）以下であるか否かを判定する。
【００４４】
ＴＥDPD・PPがＶＴＨ２以下でなければ（ステップＳ２０のＮＯ）、ＲＯＭ型ＤＶＤと判別し（ステップＳ４０）、判別処理を終了する。一方、ＴＥDPD・PPがＶＴＨ２以下であれば（ステップＳ２０のＹＥＳ）、非ＲＯＭ型ＤＶＤと判別し（ステップＳ３０）、判別処理を終了する。
【００４５】
ここで、第２実施形態においてステップＳ２０での判定が実行される各種ＤＶＤのＴＥDPD・PPの測定結果を図８に示す。
【００４６】
図８から明らかなように、図１に示す本発明に係る光ディスク装置に装着されている光ディスク１が特定のＤＶＤ−ＲＯＭであれば、ＴＥDPDがＶＴＨ２より大きくなり、ＲＯＭ型ＤＶＤと判定される。これにより、ＴＥDPP・PP／ＴＳによる判定で誤判別された特定のＲＯＭ型光ディスクを救済することができる（ＲＯＭ型ＤＶＤであると正しく判別することができる）ので、ＲＯＭ型光ディスクと非ＲＯＭ型光ディスクの判別精度が高くなる。
【００４７】
ＴＥDPD・PPがＶＴＨ２に近い値となるＤＶＤ−Ｒ ＳＬ（ＲＥＣ）（図５参照）を、第２実施形態では、ステップＳ１５の判定により非ＲＯＭ型ＤＶＤと判別し、ステップＳ２０の判定対象から外すことができるので、ＲＯＭ型光ディスクと非ＲＯＭ型光ディスクの判別精度をより一層高くすることができる。
【００４８】
＜＜その他＞＞
以上、本発明に係る実施形態について説明したが、本発明の範囲はこれに限定されるものではなく、発明の主旨を逸脱しない範囲で種々の変更を加えて実行することができる。
【００４９】
例えば、上述した実施形態では、ＲＯＭ型ＤＶＤと非ＲＯＭ型ＤＶＤの判別を行ったが、同様の手法によりＲＯＭ型と非ＲＯＭ型とを判別できるのであれば、ＤＶＤ以外の光ディスクも判別対象にしてよい。
【符号の説明】
【００５０】
１  光ディスク
２  スピンドルモータ
３  光ピックアップ
４  トラッキングエラー信号生成部
５  トラッキング制御部
６  トラッキング和信号生成部
７  フォーカスエラー信号生成部
８  フォーカス制御部
９  ウォブル信号検出部
１０  二値化部
１１  基準クロック発生部
１２  モータ制御部
１３  クロック生成部
１４  記録処理部
１５  記録部
１６  記憶部
１７  ＣＰＵ
３１  レーザダイオード
３２  ビームスプリッタ
３３  対物レンズ
３４  回折格子
３５  光検出器
４１、４２  位相差検出回路
４３〜４５  加算器
４６、４７、４９  減算器
４８  ゲイン調整器
４１、４２  位相差検出回路
４３〜４５  加算器
４６、４７、４９  減算器
４８  ゲイン調整器
３５１  ディテクタ
【図１】
2011129205.tif 000003
【図２】
2011129205.tif 000004
【図３】
2011129205.tif 000005
【図４】
2011129205.tif 000006
【図５】
2011129205.tif 000007
【図６】
2011129205.tif 000008
【図７】
2011129205.tif 000009
【図８】
2011129205.tif 000010